(57)【要約】 【課題】  ディスクドライブを容易に導通して本体ケース２００内に配設できる取付装置を提供する。【解決手段】  鋼板をプレス加工にて、ねじ孔４２４、雌ねじ孔４２５および貫通孔４２６を打ち抜くとともに同方向で取付面部４２１、下面取付片部４２２および上面取付片部４２３が一平面に展開された形状に対応する形状で打ち抜く。打ち抜き方向と反対方向へ取付面部４２１に対して略垂直に下面取付片部４２２および上面取付片部４２３を折曲して支持部材４２０を形成する。ねじ４１０にて、取付面部４２１をディスクドライブ３００のケース体に、下面取付片部４２２を本体下ケースに、上面取付片部４２３を本体上ケースにねじ止めする。プレス加工にて生じたバリが支持部材４２０の取付でケース体および本体ケースに食い込み、ディスクドライブ３００と本体ケースとを導通できる。【選択図】 図３
2006120709.tif 000002
【特許請求の範囲】
【請求項１】
電気機器本体を導電性のケース体内に収容した機器本体を、導電性の本体ケース内に取り付けて配設する取付装置であって、
鋼板にて形成され、取付部材にて前記ケース体の外面に接触されて取り付けられる第１の取付面、および前記取付部材にて前記本体ケースの内面に接触されて取り付けられる第２の取付面を有し、前記第１の取付面における前記ケース体の外面に接触される面および前記第２の取付面における前記本体ケースの内面に接触される面に、突起部が設けられた支持部材を備えた
ことを特徴とした取付装置。
【請求項２】
請求項１に記載の取付装置であって、
前記支持部材は、前記第１の取付面および第２の取付面のうちの少なくともいずれか一方に、貫通孔が設けられた
ことを特徴とした取付装置。
【請求項３】
電気機器本体を導電性のケース体内に収容した機器本体を、導電性の本体ケース内に取り付けて配設する取付装置であって、
鋼板にて形成され、外縁の剪断部が取付部材にて前記ケース体の外面に接触されて取り付けられる面側となる第１の取付面、および前記剪断部が前記取付部材にて前記本体ケースの内面に接触されて取り付けられる面側となる第２の取付面を有した支持部材を備えた
ことを特徴とした取付装置。
【請求項４】
請求項３に記載の取付装置であって、
前記支持部材は、前記剪断部に突起部を有した
ことを特徴とした取付装置。
【請求項５】
請求項４に記載の取付装置であって、
前記支持部材は、前記第１の取付面および前記第２の取付面のうちの少なくともいずれか一方に、前記剪断部の突起部の形成方向と同方向に形成される貫通孔を有した
ことを特徴とした取付装置。
【請求項６】
請求項２または請求項５に記載の取付装置であって、
前記取付部材は、ねじであり、
前記貫通孔は、前記ねじが挿通されるねじ孔である
ことを特徴とした取付装置。
【請求項７】
請求項２または請求項５に記載の取付装置であって、
前記貫通孔は、前記電気機器本体の動作により発生する電磁波の波長の１／４以下の孔ピッチとして形成された
ことを特徴とした取付装置。
【請求項８】
導電性の本体ケースと、
電力の供給により動作する電気機器本体を導電性のケース体内に収容した機器本体と、
前記本体ケース内に配設され前記機器本体の動作を制御する制御装置と、
前記機器本体を前記本体ケース内に取り付けて配設する請求項１ないし請求項７のいずれかに記載の取付装置と、
を具備したことを特徴とした電気機器。
【発明の詳細な説明】
【技術分野】
【０００１】
本発明は、電気機器本体を導電性のケース体内に収容した機器本体を、導電性の本体ケース内に取り付けて配設する取付装置および電気機器に関する。
【背景技術】
【０００２】
従来、例えばパーソナルコンピュータやテレビ番組を録画および再生する処理装置などの各種電気機器が知られている。これら電気機器は、供給される電力により適宜動作し、各種処理を実施する。そして、電気機器は、電力が供給されて動作することにより、熱が発生するため、放熱のための孔や各種電気機器と接続するための孔など、本体ケースに各種孔が設けられている。
【発明の開示】
【発明が解決しようとする課題】
【０００３】
ところで、従来の電気機器において、電力が供給されて動作する際に電磁波が発生することが知られている。このため、例えば孔の形状を適宜設定したり、アースを取る構成を設けて、電磁波の漏洩を防止する構成が採られている。一方、例えばパーソナルコンピュータやテレビ番組を録画および再生する処理装置などの各種電気機器として、記録媒体として光ディスクやハードディスクなどを駆動するディスクドライブなど、電力の供給により動作する機器本体が本体ケース内に収容された構成も知られている。そして、これら収容される機器本体も、電力が供給されて動作する際に電磁波が発生することも知られている。そこで、機器本体からもアースを取る構成を設けることが考えられる。しかしながら、例えば機器本体にアース用の構成を設けたり、アース接続するための構成を設けたりするなど、機器本体からアースを取るための構成により、機器本体を本体ケース内に組み付ける構成が複雑となったり、組み付け作業が煩雑となったりするなどの不都合が生じるおそれがある問題点が一例として挙げられる。
【０００４】
本発明の目的は、このような問題点などに鑑みて、配設する機器本体の導通が容易に得られる取付装置および電気機器を提供することである。
【課題を解決するための手段】
【０００５】
請求項１に記載の発明は、電気機器本体を導電性のケース体内に収容した機器本体を、導電性の本体ケース内に取り付けて配設する取付装置であって、鋼板にて形成され、取付部材にて前記ケース体の外面に接触されて取り付けられる第１の取付面、および前記取付部材にて前記本体ケースの内面に接触されて取り付けられる第２の取付面を有し、前記第１の取付面における前記ケース体の外面に接触される面および前記第２の取付面における前記本体ケースの内面に接触される面に、突起部が設けられた支持部材を備えたことを特徴とした取付装置である。
【０００６】
請求項３に記載の発明は、電気機器本体を導電性のケース体内に収容した機器本体を、導電性の本体ケース内に取り付けて配設する取付装置であって、鋼板にて形成され、外縁の剪断部が取付部材にて前記ケース体の外面に接触されて取り付けられる面側となる第１の取付面、および前記剪断部が前記取付部材にて前記本体ケースの内面に接触されて取り付けられる面側となる第２の取付面を有した支持部材を備えたことを特徴とした取付装置である。
【０００７】
請求項８に記載の発明は、導電性の本体ケースと、電力の供給により動作する電気機器本体を導電性のケース体内に収容した機器本体と、前記本体ケース内に配設され前記機器本体の動作を制御する制御装置と、前記機器本体を前記本体ケース内に取り付けて配設する請求項１ないし請求項７のいずれかに記載の取付装置と、を具備したことを特徴とした電気機器である。
【発明を実施するための最良の形態】
【０００８】
以下、本発明の一実施の形態を図面に基づいて説明する。本実施の形態では、テレビ放送番組を録画および再生する録画処理および再生処理を実施する電気機器としての録画再生装置を例示して説明するが、例えばパーソナルコンピュータなど、電力の供給により動作する電気機器本体を導電性のケース体内に収容した機器本体を、導電性の本体ケース内に収容するいずれの電気機器に適用できる。
【０００９】
〔電気機器の構造〕
図１は、本実施の形態の電気機器を示す斜視図である。図２は、取付装置の支持部材と取り付けられる本体ケースとの関係を示す側面図である。図３は、取付装置を示す斜視図である。
【００１０】
図１において、１００は電気機器で、この電気機器１００は、テレビ放送番組を取得して録画する録画処理および録画したテレビ放送番組を再生する再生処理を実施する。そして、この電気機器１００は、本体ケース２００と、この本体ケース２００内に収容される機器本体としての図２に示すような略矩形状のディスクドライブ３００と、本体ケース２００内に収容されディスクドライブ３００の動作を制御するとともに、録画処理および再生処理を制御する図示しない制御装置と、前記ディスクドライブ３００を本体ケース２００内に取り付けて配設する図２に示すような取付装置４００と、などを備えている。
【００１１】
本体ケース２００は、図１および図２に示すように、下面および前面の２面に亘って開口する本体上ケース２１０と、この本体上ケース２１０の下面を閉塞する略平板状の本体下ケース２２０と、本体上ケース２１０の前面を閉塞する化粧板２３０と、を有し、内部に収容空間２０１を区画形成する略矩形状に形成されている。そして、本体上ケース２１０および本体下ケース２２０は、例えば導電材料である鋼板のプレス加工により形成されている。また、化粧板２３０は、例えばアクリロニトリル−ブタジエン−スチレン（ＡＢＳ；Acrylonitrile-Butadiene-Styrene）やポリエチレンなどの合成樹脂製で射出成型などにより形成されている。
【００１２】
そして、本体上ケース２１０は、左右方向で長手状の長方形平板状の天板部２１１と、この天板部の長手方向の両側縁に略垂直で一連に同方向に折曲形成された側板部２１２と、天板部の長手方向の一端縁となる後端縁に側板部２１２と同方向に略垂直で一連に折曲形成された図示しない端板部とを有し、下面および前面を開口する略箱状に形成されている。また、本体上ケース２１０の天板部２１１には、所定の位置に後述する取付装置４００のねじ４１０が取り付けられる図示しないねじ孔が所定の位置に穿設されている。さらに、本体上ケース２１０の端板部には、制御装置に接続され、例えばテレビジョンや各種表示装置、スピーカ装置、アンテナなどが接続される各種端子が複数配設されている。また、本体下ケース２２０は、本体上ケース２１０の天板部２１１と略同形状の長方形平板状に形成されている。そして、本体下ケース２２０には、後述する取付装置４００のねじ４１０が螺着される図示しないねじ孔が所定の位置に設けられている。さらに、化粧板２３０は、接合される本体上ケース２１０および本体下ケース２２０に、前面に開口される開口面を閉塞する左右方向に長手状に形成されている。そして、化粧板２３０には、装着開口２３１が開口形成されている。また、化粧板２３０には、制御装置に接続され、例えば電源等入用の電源スイッチ２３２Ａや、録画処理あるいは再生処理などの各種処理の各種動作内容を入力操作に対応して設定するための各種操作スイッチ２３２Ｂなどが配設されている。さらに、化粧板２３０には、制御装置に接続され各種処理の動作状況を表示する図示しない表示装置の表示面を覆う状態に透光性の表示窓部２３３が設けられている。
【００１３】
制御装置は、例えば、商用交流電源が接続され所定の電力を供給する電源装置と、ＣＰＵ（Central Processing Unit）などを有し電源装置から電力が供給されて各種制御をする制御回路が搭載された制御回路基板と、などを有している。そして、制御装置は、本体ケース２００内に接地された状態、すなわち本体ケース２００内に設けられた図示しない取付台座などにアースされて取り付けられ配設される。
【００１４】
ディスクドライブ３００は、図３に示すように、本体ケース２００内に制御装置に接続されて収容され、制御装置にて制御されて例えば光ディスクや磁気ディスクなどのディスク状記録媒体にテレビ放送番組を記録する記録処理、および、ディスク状記録媒体に記録されたテレビ放送番組や映画、音楽などの各種コンテンツデータを読み取る読取処理を実施する。このディスクドライブ３００は、例えば導電材料である鋼板のプレス加工により、内部に収容空間を区画形成する略矩形状に形成された図示しないケース体を有している。このケース体は、表面処理である耐食処理および絶縁処理が施されている。そして、ケース体の前面には、ディスク状記録媒体が搬入および搬出される図示しない開口部が設けられている。また、ケース体内には、ケース体の開口部を介してディスク状記録媒体をケース体内外に搬送する図示しない搬送装置と、ケース体内に搬送されたディスク状記録媒体の記録処理および読取処理をする電気機器本体としての図示しない処理装置と、などが配設されている。なお、搬送装置としては、図１に示すように、ディスク状記録媒体を載置するディスクトレイ３１０を有し、このディスクトレイ３１０を進退移動させることでディスク状記録媒体をケース体内外に搬送、すなわち本体ケース２００内外に搬送する。すなわち、ディスクドライブ３００は、ディスクトレイ３１０が化粧板２３０の装着開口を介して進退可能で、かつディスクトレイ３１０が後退した状態で図１に示すようにディスクトレイ３１０の端面にて装着開口２３１を閉塞する状態に、本体ケース２００内に配設される。
【００１５】
取付装置４００は、図３に示すように、取付部材としてのねじ４１０と、一対の支持部材４２０と、を備えている。支持部材４２０は、例えば鋼板のプレス加工にて打ち抜き形成されている。この支持部材４２０は、長手板状の第１の取付面としての取付面部４２１と、この取付面部４２１の長手方向の一側に略垂直で一連に折曲形成された第２の取付面としての下面取付片部４２２と、取付面部４２１の長手方向の他側に下面取付片部４２２と同方向に略垂直で一連に折曲形成された第２の取付面としての上面取付片部４２３と、を有し、断面略コ字状に形成されている。また、取付面部４２１および下面取付片部４２２には、ねじ４１０が挿通される貫通孔としてのねじ孔４２４が穿設されている。さらに、上面取付片部４２３には、ねじ４１０が螺着される貫通孔としてのねじ孔である雌ねじ孔４２５が設けられている。また、取付面部４２１には、ディスクドライブ３００から発生する電磁波の波長に対して１／４以下の孔ピッチ、すなわちピッチ２０ｍｍ以下で複数の貫通孔４２６が穿設されている。
【００１６】
この支持部材４２０は、例えばプレス加工時にねじ孔４２４、雌ねじ孔４２５および貫通孔４２６が打ち抜かれるとともに、この打ち抜き方向で取付面部４２１、下面取付片部４２２および上面取付片部４２３が一平面に展開された形状に対応する形状で打ち抜き、これら打ち抜き方向と反対方向へ取付面部４２１に対して略垂直となる状態に下面取付片部４２２および上面取付片部４２３を折曲することで形成される。このプレス加工により、断面略コ字状の支持部材４２０の外面側の方向が剪断方向となり、プレス加工による突起部としてのバリが外面側へ突出する状態に発生する。すなわち、支持部材４２０の剪断部となる周縁と、ねじ孔４２４、雌ねじ孔４２５および貫通孔４２６の剪断部となる開口縁とに外側に突出するバリが形成される。
【００１７】
そして、支持部材４２０は、取付面部４２１がディスクドライブ３００のケース体の側面に対向して面接触する状態にねじ４１０にて取り付けられる。この取り付けられた状態では、取付面部４２１の周縁と、ねじ孔４２４および貫通孔４２６の開口縁とに設けられたバリが、ディスクドライブ３００のケース体の表面処理により形成された被膜を破ってケース体に食い込む状態となり、支持部材４２０およびディスクドライブ３００のケース体とが電気的に導通される。
【００１８】
また、ディスクドライブ３００に取り付けられた支持部材４２０の下面取付片部４２２は、本体ケース２００の本体下ケース２２０の内面である上面に下面が面接触する状態にねじ４１０にて取り付けられる。すなわち、下面取付片部４２２のねじ孔４２４を介してねじ４１０が本体下ケース２２０のねじ孔に螺着されて取り付けられ、支持部材４２０を介して本体下ケース２２０にディスクドライブ３００が取付固定される。この取り付けられた状態では、下面取付片部４２２の周縁と、ねじ孔４２４の開口縁とに設けられたバリが、本体下ケース２２０の上面に食い込む状態となり、支持部材４２０と本体下ケース２２０とが電気的に導通される。すなわち、ディスクドライブ３００は、支持部材４２０を介して本体下ケース２２０に電気的に導通される。
【００１９】
そして、本体下ケース２２０の上方を覆う状態に本体上ケース２１０が接合され、本体上ケース２１０の内面である下面に支持部材４２０の上面取付片部４２３の上面が面接触する状態に、本体上ケース２１０のねじ孔を介して上面取付片部４２３の雌ねじ孔４２５にねじ４１０が螺着されて取り付けられる。この取り付けられた状態では、上面取付片部４２３の周縁と雌ねじ孔４２５の開口縁とに設けられたバリが、本体上ケース２１０の下面に食い込む状態となり、支持部材４２０と本体上ケース２１０とが電気的に導通される。すなわち、ディスクドライブ３００は、支持部材４２０を介して本体上ケース２１０に電気的に導通される。これらねじ止めにより、本体ケース２００内に取付装置４００にてディスクドライブ３００が電気的に導通されて取り付けられ配設される。
【００２０】
〔電気機器の動作〕
次に、上記実施の一形態における電気機器１００の動作として取付装置による電磁波の遮蔽状況を確認する実験結果について説明する。図４は、上記電気機器の不要輻射を測定した結果を示すグラフである。図５は、比較例の電気機器の不要輻射を測定した結果を示すグラフである。
【００２１】
電磁波の遮蔽状況を確認する実験は、上述した実施の形態による取付装置４００にてディスクドライブ３００を組み込んだ電気機器１００と、支持部材４２０のバリが内側に形成される状態で同形状にプレス加工にて形成した部材を用いてディスクドライブ３００を組み込んだ比較例としての電気機器と、被測定対象物とした。そして、電磁波の測定としては、株式会社パイオニアに構築された電波暗室内に被測定対象物を所定の位置に接地し、スペクトラムアナライザ（株式会社アドバンテスト社製，型式：Ｒ３３６１Ａ）を用いて電磁波を測定した。そして、電気機器１００の測定結果を図４に、比較例の測定結果を図５に示す。
【００２２】
これらの結果から、図５に示す比較例では、連邦通信委員会（米国）（ＦＣＣ：Federal Communications Commission）の不要輻射規格であるクラスＢの規格上限値である閾値１（図５中の実線）の値をほぼ満たすものの、約３１０ＭＨｚ、約６５０ＭＨｚおよび約９５０ＭＨｚで比較的にレベルの大きいピークが認められる。一方、本実施の形態の取付装置４００を用いた電気機器１００では、図４に示すように、クラスＢの規格上限値である閾値１（図４中の実線）の値を大きく下回り、電磁波が大きく低減されていることが認められた。特に、比較例の電気機器に比較的にレベルの大きいピークとなった約３１０ＭＨｚ、約６５０ＭＨｚおよび約９５０ＭＨｚで大きく低減し、クラスＢの規格上限値である閾値１より１割以上低いレベル（−６ｄＢμＶ／ｍ）となる４０ｄＢμＶ／ｍの閾値２の値の条件も満たすことが認められた。
【００２３】
〔ディスクドライブの作用効果〕
上述したように、上記実施の形態では、電力の供給により動作する処理装置が導電性を有するケース体内に収容されたディスクドライブ３００を導電性を有する本体ケース２００内に取り付けて配設する取付装置４００として、鋼板にて形成され、ねじ４１０にてディスクドライブ３００のケース体の外面に接触されて取り付けられる取付面部４２１と、ねじ４１０にて本体ケース２００の内面に接触されて取り付けられる下面取付片部４２２および上面取付片部４２３とを有した支持部材４２０に、取付面部４２１のケース体に接触される面と、下面取付片部４２２および上面取付片部４２３の本体ケース２００に接触される面でプレス加工によりバリを形成している。このため、バリがケース体の外面や本体ケース２００の内面に食い込む状態となって電気的な導通が得られ、ディスクドライブ３００は本体ケース２００内に配設するための支持部材４２０を介して本体ケース２００に電気的に導通されるので、取り付けにより電気的な導通が同時に得られ、特別な構成を設けることなく、容易に電気的な導通が得られる。従って、電磁波の漏れなどの不要輻射を容易に低減できる。特に、支持部材４２０の形成の際にプレス加工で所定方向にバリが生じるように形成するのみで、バリを形成するための加工工程が増えることはなく、支持部材４２０の製造性の低下を防止できるとともに、本体ケース２００内に組み付ける組み立て工程が煩雑となることはなく、不要輻射が大きく低減された電気機器１００の製造性の向上が容易に得られる。
【００２４】
そして、鋼板をプレス加工して取付面部４２１と下面取付片部４２２および上面取付片部４２３とを形成して支持部材４２０を形成している。このため、支持部材４２０の周縁にバリが形成されるので、特別な構成を設けることなく、単に支持部材４２０をプレス加工により打ち抜き形成するのみで、取り付けにより電気的な導通が得られる構成が得られ、製造性を低減することなく不要輻射を低減できる。
【００２５】
さらに、取付面部４２１に貫通孔４２６を設けている。このため、支持部材４２０を軽量化できるとともに、支持部材４２０の周縁とねじ孔４２４および雌ねじ孔４２５の開口縁とのバリによる食い込みに合わせて貫通孔４２６のバリの食い込みによる導通も得られ、確実に電気的な導通が得られる。また、接触位置の増大により、導通の抵抗値を低減でき、より良好な導通状態が得られる。
【００２６】
また、貫通孔４２６として、ディスクドライブ３００から発生する電磁波の波長に対して１／４以下の孔ピッチ、すなわちピッチ２０ｍｍ以下に形成している。このため、より効率的に電磁波を遮蔽でき、より良好に不要輻射を低減できる。
【００２７】
そして、ディスクドライブ３００を収容し、ディスクドライブ３００の動作を制御する制御装置を収容する電気機器１００に取付装置４００を利用している。このため、本体ケース２００に制御装置などの各種電気機器をアースする必要がある電気機器１００で、収容するディスクドライブ３００も導通させることで、本体ケース２００をアースさせる構成が共用され、効率よく電気機器１００としての不要輻射を低減できる。
【００２８】
〔実施の形態の変形〕
なお、本発明は、上述した実施の一形態に限定されるものではなく、本発明の目的を達成できる範囲で以下に示される変形をも含むものである。
【００２９】
すなわち、本発明の電気機器としては、ディスクドライブ３００を収容する電気機器１００を例示して説明したが、上述したように、ディスクドライブ３００としてはディスクトレイ３１０を有した構成に限らず、いわゆるスロットインタイプのディスクドライブやスリムドライブなどのディスクドライブ、さらにはハードディスクドライブなどの他の記録媒体や着脱されない記録媒体を処理するいずれのディスクドライブをも対象とすることができる。さらには外周面に記録面が設けられた円筒状の記録媒体や磁気テープなどのディスク状ではないいずれの記録媒体を処理するドライブも対象とすることができる。さらには、通信回路や演算装置などの電力の供給により動作するいずれの機器本体を対象とすることができる。また、機器本体を収容するとともにこの機器本体の動作を制御して各種処理をする電気機器の構成に限らず、単に機器本体を本体ケース２００内に収容する構成のものに取付装置４００を利用してもよい。
【００３０】
そして、支持部材４２０として、一対設けた構成を例示したが、いずれか一方のみで本体ケース２００内にディスクドライブ３００を組み付ける構成としてもよい。また、いずれか一方のみにバリが設けられる構成としてもよい。さらには、一方の支持部材４２０がケース体および本体下ケース２２０にバリにて導通する状態とし、他方の支持部材４２０がケース体および本体上ケース２１０にバリにて導通する構成としてもよい。そして、支持部材４２０は、上述した断面略コ字状に形成した構成に限らない。例えば、ケース体の上下面が導電性であれば、上面あるいは下面に取り付ける取付面部４２１と、この取付面部から折曲形成され本体ケース２００の内面に取り付けられる取付片部とを設けるなど、取付状態により形状を適宜設計すればよい。
【００３１】
また、本体ケース２００が本体上ケース２１０および本体下ケース２２０にて分割された構成に限らず、例えば筒形状に形成されたものや、互いに導通する状態であれば、支持部材４２０に形成されるバリは、ケース体に食い込む状態に設けられる位置と、本体ケース２００の内面のいずれかの位置に食い込む状態に設けてもよい。すなわち、本体下ケース２２０に取り付けられる下面取付片部４２２および本体上ケース２１０に取り付けられる上面取付片部４２３の双方の周縁にバリが形成される状態に形成したが、いずれか一方のみにバリが形成される状態に形成してもよい。
【００３２】
さらに、支持部材４２０の周縁にバリを設けず、ねじ孔４２４および雌ねじ孔４２５、あるいは貫通孔４２６の形成時にバリを形成させてもよい。例えば、支持部材４２０を各種方法によりバリが生じないように形成したり、形成後にバリを取る処理を実施したりした後に、プレス加工にてねじ孔４２４および雌ねじ孔４２５、あるいは貫通孔４２６に、取付によりケース体や本体ケース２００に食い込むバリを生じさせてもよい。そして、貫通孔４２６のバリにて導通を得る構成とする場合には、取付面部４２１と、下面取付片部４２２および上面取付片部４２３のうちの少なくともいずれか一方に本体ケース２００に食い込むバリが生成される状態に貫通孔４２６を設ければよい。そして、取付面部４２１以外にも貫通孔４２６を設けることにより、さらに支持部材４２０の軽量化が得られるとともに、貫通孔４２６のバリによる導通箇所の増大により、より確実な導通および導通の抵抗値の低減も得られる。
【００３３】
また、周縁にバリを設けないとともに、貫通孔４２６を設けない構成としてもよい。すなわち、ねじ孔４２４および雌ねじ孔４２５の形成時にケース体および本体ケース２００に食い込むバリが形成する状態にプレス加工すればよい。この構成により、貫通孔４２６を設けるためのプレス加工時の加圧力を低減でき、プレス加工が容易となるとともに、プレス加工のための型形状の簡略化ができ、型の製造性の向上やコストの低減などが容易に得られる。同様に、取付部材としてねじを利用しない構成でもよい。すなわち、ねじ孔４２４や雌ねじ孔４２５を有しない構成としても、周縁あるいは貫通孔４２６の開口縁にバリが形成されればよい。なお、ねじ孔４２４あるいは雌ねじ孔４２５や貫通孔４２６を設けず、周縁に形成したバリにて導通が得られる構成とすることで、プレス加工時の加圧力を低減でき、プレス加工が容易となるとともに、プレス加工のための型形状の簡略化ができ、型の製造性の向上やコストの低減などが容易に得られる。
【００３４】
そして、貫通孔４２６として、略円形に形成したが、いずれの形状、例えば三角形や四角形などの多角形や楕円形状、星形や各種キャラクタ形状など、いずれの形状に形成してもよい。さらには、ディスクドライブ３００から発生する電磁波の波長に対して１／４以下の孔ピッチ、すなわちピッチ２０ｍｍ以下に複数形成したと説明したが、この寸法に限られない。また、貫通孔４２６として、異なる孔ピッチで分布する状態に複数形成してもよい。このような構成により、より広い波長域に対応して不要輻射の低減が得られる。
径寸法が異なる状態に複数形成してもよい。
【００３５】
また、支持部材４２０をねじ４１０にて取り付ける構成として説明したが、取り付けるための取付部材としては、ねじ４１０に限らず、例えば鳩目など、いずれの構成でも取り付けでき、本発明の取付装置として、取付部材を備えた構成に限られない。
【００３６】
その他、本発明の実施の際の具体的な構造および手順は、本発明の目的を達成できる範囲で他の構造などに適宜変更できる。
【００３７】
〔実施の形態の効果〕
上述したように、鋼板にて形成され、ねじ４１０にてディスクドライブ３００のケース体の外面に接触されて取り付けられる取付面部４２１と、ねじ４１０にて本体ケース２００の内面に接触されて取り付けられる下面取付片部４２２および上面取付片部４２３とを有した支持部材４２０に、取付面部４２１のケース体に接触される面と、下面取付片部４２２および上面取付片部４２３の本体ケース２００に接触される面でバリを形成している。このため、バリがケース体の外面や本体ケース２００の内面に食い込む状態となって電気的な導通が得られ、ディスクドライブ３００は本体ケース２００内に配設するための支持部材４２０を介して本体ケース２００に電気的に導通されることとなり、取り付けにより電気的な導通が同時に得られ、特別な構成を設けることなく、容易に電気的な導通が得られる。
【図面の簡単な説明】
【００３８】
【図１】本発明における実施の一形態に係る電気機器の概略構成を示す斜視図である。
【図２】前記実施の一形態における取付装置の支持部材と取り付けられる本体ケースとの関係を示す側面図である。
【図３】前記実施の一形態における取付装置を示す斜視図である。
【図４】前記実施の一形態における電気機器の不要輻射を測定した結果を示すグラフである。
【図５】前記実施の一形態における電気機器に対する比較例における不要輻射を測定した結果を示すグラフである。
【符号の説明】
【００３９】
１００…電気機器
２００…本体ケース
３００…機器本体としてのディスクドライブ
４００…取付装置
４１０…取付部材としてのねじ
４２０…支持部材
４２１…第１の取付面としての取付面部
４２２…第２の取付面としての下面取付片部
４２３…第２の取付面としての上面取付片部
４２４…貫通孔としてのねじ孔
４２５…貫通孔としてのねじ孔である雌ねじ孔
４２６…貫通孔
【図１】
2006120709.tif 000003
【図２】
2006120709.tif 000004
【図３】
2006120709.tif 000005
【図４】
2006120709.tif 000006
【図５】
2006120709.tif 000007